(57)【要約】【課題】デジタル式レコーダで長時間の連続記録を可能にしつつ、必要な映像部のみをアナログＶＴＲ部にダビング可能とし、デジタル式およびアナログ式の双方のメリットを十分に生かしたエレベータ用防犯カメラレコーダ装置を得る。【解決手段】カゴ１内に設置された防犯カメラ２と、カゴ１上に搭載されたデジタル式レコーダ１０Ａとを備え、デジタル式レコーダ１０Ａは、カゴ１内からリモコン５Ａにより操作され、デジタル式レコーダ１０Ａは、防犯カメラ２により撮像された映像データを防犯映像として連続記録するためのハードディスク部３と、リモコン５Ａの操作信号に応答して防犯映像の必要部分のみをダビング記録するためのアナログＶＴＲ部４Ａとを一体的に内蔵した。【選択図】　　　　図２
2004010267.tif 000002
【特許請求の範囲】
【請求項１】
エレベータのカゴ内に設置された防犯カメラと、
前記カゴ上に搭載されたデジタル式レコーダとを備え、
前記デジタル式レコーダは、前記カゴ内からリモコンにより操作されるエレベータ用防犯カメラレコーダ装置において、
前記デジタル式レコーダは、
前記防犯カメラにより撮像された映像データを防犯映像として連続記録するためのハードディスク部と、
前記リモコンの操作信号に応答して前記防犯映像の必要部分のみをダビング記録するためのアナログＶＴＲ部と
を一体的に内蔵したことを特徴とするエレベータ用防犯カメラレコーダ装置。
【請求項２】
前記デジタル式レコーダは、
前記防犯カメラからの映像データを記録するとともに、前記リモコンの操作信号に応答して前記防犯映像を出力するハードディスクレコーダ部と、
前記防犯映像を分配する映像分配器と、
前記映像分配器により分配された一方の防犯映像を携帯用モニタに出力するモニタ出力部と、
前記映像分配器により分配された他方の防犯映像の他方を前記アナログＶＴＲ部に記録するためのＶＴＲレコーダ部と
を備えたことを特徴とする請求項１に記載のエレベータ用防犯カメラレコーダ装置。
【請求項３】
前記アナログＶＴＲ部への前記防犯映像のダビング時において、
前記ハードディスクレコーダ部は、前記防犯映像を記録時よりも高速に再生し、
前記アナログＶＴＲ部は、通常時よりも高速で前記防犯映像を記録することを特徴とする請求項１に記載のエレベータ用防犯カメラレコーダ装置。
【発明の詳細な説明】
【０００１】
【発明の属する技術分野】
この発明は、エレベータのカゴに搭載された防犯カメラレコーダ装置に関し、特にデジタル式およびアナログ式の双方のメリットを十分に生かしたエレベータ用防犯カメラレコーダ装置に関するものである。
【０００２】
【従来の技術】
図４は従来のエレベータ用防犯カメラレコーダ装置をエレベータのカゴとともに示す構成図である。
【０００３】
図４において、１はエレベータのカゴ、２はカゴ１内に設置された防犯カメラ、３は防犯カメラ２の映像データを防犯映像として記録するハードディスク部である。
【０００４】
１０はカゴ１上に設置されたデジタル式レコーダであり、ハードディスク部３を内蔵しており、防犯カメラ２で撮影された映像データをハードディスク部３に連続的に記録する。
【０００５】
図５は従来のエレベータ用防犯カメラレコーダ装置をカゴ１内からリモコン操作（映像モニタ）している状態を示す構成図である。
図５において、４はダビング用ＶＴＲであり、作業員により必要時にデジタル式レコーダ１０に接続される。
【０００６】
５は無線式のリモートコントロール装置（以下、「リモコン」という）であり、デジタル式レコーダ１０の操作時に作業員により操作される。
【０００７】
６は記録された防犯映像を出力するためのケーブルであり、必要時にデジタル式レコーダ１０に接続されて引き出される。
７は携帯用モニタであり、ケーブル６を介してデジタル式レコーダ１０に接続される。
【０００８】
通常、デジタル式レコーダ１０は、カゴ１の内側から直接触れて操作することができないので、外部（カゴ１内）からリモコン５を介して制御される。リモコン５は、カゴ１の中からデジタル式レコーダ１０の操作を可能にしている。
【０００９】
また、カゴ１内に敷設されたケーブル６に接続された携帯用モニタ７は、カゴ１内に設置されて作業員により観測され、記録された防犯映像の確認を可能にしている。
【００１０】
しかしながら、デジタル式レコーダ１０に記録されたカゴ１内の防犯映像を確認するためには、作業員が実際にカゴ１内に乗り込んで携帯用モニタ７を介して確認する必要がある。
【００１１】
または、携帯用モニタ７の代わりにダビング用ＶＴＲ４を接続して、デジタル式レコーダ１０を再生しながらダビング用ＶＴＲ４に防犯映像を記録し、記録されたテープを別の再生用ＶＴＲで再生して確認する必要がある。
【００１２】
周知のように、ハードディスク部３を用いたデジタル式レコーダ１０は、長時間の記録が可能であり、メディアの交換も必要ない利点があるが、記録された防犯映像を見るためには、同一のデジタル式レコーダ１０を用いなければならない。
【００１３】
また、アナログＶＴＲなどのアナログ式レコーダは、一般的なビデオテープに記録することにより、広く普及している他のＶＴＲ装置でも再生可能であるが、長時間の記録が不可能なうえ、メディアの交換や録画再生ヘッドのクリーニングなどが必要となる。
【００１４】
【発明が解決しようとする課題】
従来のエレベータ用防犯カメラレコーダ装置は以上のように、デジタル式レコーダ１０内の固定式のハードディスク部３に防犯映像が記録されているので、防犯映像を再生して確認するためには、同一装置で再生して確認する必要があり、確認作業が比較的不便になるという問題点があった。
【００１５】
また、他の同一機種の装置を用いる場合には、デジタル式レコーダ１０からハードディスク部３のみを取り外して、別に用意した同一機種の装置に組み込み、防犯映像を再生して確認する必要があり、やはり、確認作業が困難になるという問題点があった。
【００１６】
さらに、ビデオテープメディアに記録されるアナログ式レコーダを用いた場合には、長時間の記録が不可能なので、定期的にメディアを交換しなければ継続して防犯映像を記録することができないという問題点があった。
【００１７】
この発明は上記のような問題点を解決するためになされたもので、デジタル式レコーダにアナログＶＴＲ部を内蔵することにより、デジタル式レコーダで長時間の連続記録を可能にしつつ、必要な防犯映像部のみをアナログＶＴＲ部にダビング可能とし、デジタル式およびアナログ式の双方のメリットを十分に生かすことのできるエレベータ用防犯カメラレコーダ装置を得ることを目的とする。
【００１８】
【課題を解決するための手段】
この発明に係るエレベータ用防犯カメラレコーダ装置は、エレベータのカゴ内に設置された防犯カメラと、カゴ上に搭載されたデジタル式レコーダとを備え、デジタル式レコーダは、カゴ内からリモコンにより操作されるエレベータ用防犯カメラレコーダ装置において、デジタル式レコーダは、防犯カメラにより撮像された映像データを防犯映像として連続記録するためのハードディスク部と、リモコンの操作信号に応答して防犯映像の必要部分のみをダビング記録するためのアナログＶＴＲ部とを一体的に内蔵したものである。
【００１９】
また、この発明に係るエレベータ用防犯カメラレコーダ装置によるデジタル式レコーダは、防犯カメラからの映像データを記録するとともに、リモコンの操作信号に応答して防犯映像を出力するハードディスクレコーダ部と、防犯映像を分配する映像分配器と、映像分配器により分配された一方の防犯映像を携帯用モニタに出力するモニタ出力部と、映像分配器により分配された他方の防犯映像の他方をアナログＶＴＲ部に記録するためのＶＴＲレコーダ部とを備えたものである。
【００２０】
また、この発明に係るエレベータ用防犯カメラレコーダ装置は、アナログＶＴＲ部への防犯映像のダビング時において、ハードディスクレコーダ部は、防犯映像を記録時よりも高速に再生し、アナログＶＴＲ部は、通常時よりも高速で防犯映像を記録するものである。
【００２１】
【発明の実施の形態】
実施の形態１．
以下、図面を参照しながら、この発明の実施の形態１について詳細に説明する。
図１はこの発明の実施の形態１を示すブロック構成図であり、主にデジタル式レコーダ１０Ａの機能構成を示している。
【００２２】
また、図２および図３は、この発明の実施の形態１をカゴ１とともに示す構成図およびリモコン操作状態を示す構成図であり、前述の図４および図５にそれぞれ対応している。
【００２３】
図２および図３において、前述（図４、図５参照）と同様のものについては、前述と同一符号を付して、または符号の後に「Ａ」を付して詳述を省略する。
【００２４】
４ＡはアナログＶＴＲ部であり、ハードディスク部３とともに、デジタル式レコーダ１０Ａに内蔵されている。
デジタル式レコーダ１０Ａは、リモコン５Ａにより操作される。
【００２５】
図１において、２０は映像分配器であり、ハードディスク部３に記録された防犯映像を任意のデバイスに分配する。
２１はケーブル６が接続されるモニタ出力部、２２は防犯カメラ２が接続されるカメラ部である。
【００２６】
２３はハードディスク部３に関連したハードディスクレコーダ部、２４はアナログＶＴＲ部４Ａに関連したＶＴＲレコーダ部、２５はリモコン５Ａからの操作信号に応答するリモートコントロール部である。
【００２７】
次に、図１〜図３を参照しながら、この発明の実施の形態１による動作について説明する。
ハードディスクレコーダ部２３は、防犯カメラ２からの映像データをカメラ部２２を介して取り込み、ハードディスク部３に防犯映像として記録するとともに、リモートコントロール部２５を介した操作信号に応答して、記録された防犯映像を映像分配器２０に送出する。
【００２８】
映像分配器２０は、防犯映像をモニタ出力部２１およびＶＴＲレコーダ部２４に分配する。
すなわち、分配された一方の防犯映像は、モニタ出力部２１からケーブル６を介して携帯用モニタ７に出力され、分配された他方の防犯映像は、ＶＴＲレコーダ部２４を介してアナログＶＴＲ部４Ａにダビングされる。
【００２９】
通常、カゴ１内に設置された防犯カメラ２による映像データの記録間隔を「１コマ／秒」とすると、「６０コマ」の防犯映像を再生するのに「６０秒」の時間を要する。
一方、通常の動画再生速度「３０コマ／秒」で再生すると、「６０コマ」の防犯映像の再生に要する時間は、わずか「２秒」で済む。
【００３０】
この発明の実施の形態１の場合、記録時に「１コマ／秒」でハードディスク部３に記録した防犯映像を、再生時においては、ハードディスク３側で「３０コマ／秒」で再生し、さらにダビング時においては、デジタル式レコーダ１０Ａ内のアナログＶＴＲ部４Ａを通常の「３０倍」の速度で駆動して記録する。
【００３１】
こうして高速ダビング記録したビデオテープを、デジタル式レコーダ１０Ａから抜き取り、汎用のＶＴＲ装置で再生することにより、通常の「１コマ／秒」の防犯映像として表示させることができる。
【００３２】
なお、ハードディスク部３に記録された防犯映像の再生操作においては、リモコン５Ａを使用して、ハードディスク３側に記録された防犯映像を検索して、再生しながら携帯用モニタ７で防犯映像の確認を行う。
【００３３】
これにより、ダビングを必要とする映像ポイントの検索が終了したら、リモコン５Ａの操作により、その映像ポイントをアナログＶＴＲ部４Ａに容易にダビングすることができる。
【００３４】
このとき、上述したように、ハードディスク３側の再生速度は、通常の動画再生速度「３０コマ／秒」で再生され、アナログＶＴＲ部４Ａへの記録は３０倍の高速で実行されるので、ダビング時間は著しく短縮される。
【００３５】
このように、リモコン５Ａにより操作可能なデジタル式レコーダ１０ＡにアナログＶＴＲ部４Ａを内蔵することにより、カゴ１内の防犯映像のダビング作業時間を短縮させることができ、汎用性のある交換可能なビデオテープにダビングすることができる。
【００３６】
したがって、ハードディスク部３への長時間記録を可能にしつつ、ダビング時間の短縮を実現することができる。
さらに、携帯用モニタ７を接続するのみで、容易な映像確認手段を設けることが可能となる。
【００３７】
【発明の効果】
以上のように、この発明によれば、エレベータのカゴ内に設置された防犯カメラと、カゴ上に搭載されたデジタル式レコーダとを備え、デジタル式レコーダは、カゴ内からリモコンにより操作されるエレベータ用防犯カメラレコーダ装置において、デジタル式レコーダは、防犯カメラにより撮像された映像データを防犯映像として連続記録するためのハードディスク部と、リモコンの操作信号に応答して防犯映像の必要部分のみをダビング記録するためのアナログＶＴＲ部とを一体的に内蔵したので、デジタル式レコーダで長時間の連続記録を可能にしつつ、必要な映像部のみをアナログＶＴＲ部にダビング可能とし、デジタル式およびアナログ式の双方のメリットを十分に生かしたエレベータ用防犯カメラレコーダ装置が得られる効果がある。
【００３８】
また、この発明によれば、デジタル式レコーダは、防犯カメラからの映像データを記録するとともに、リモコンの操作信号に応答して防犯映像を出力するハードディスクレコーダ部と、防犯映像を分配する映像分配器と、映像分配器により分配された一方の防犯映像を携帯用モニタに出力するモニタ出力部と、映像分配器により分配された他方の防犯映像の他方をアナログＶＴＲ部に記録するためのＶＴＲレコーダ部とを備えたので、ダビングが必要な映像を容易に確認できるエレベータ用防犯カメラレコーダ装置が得られる効果がある。
【００３９】
また、この発明によれば、アナログＶＴＲ部への防犯映像のダビング時において、ハードディスクレコーダ部は、防犯映像を記録時よりも高速に再生し、アナログＶＴＲ部は、通常時よりも高速で防犯映像を記録するようにしたので、さらにダビング時の作業時間を短縮したエレベータ用防犯カメラレコーダ装置が得られる効果がある。
【図面の簡単な説明】
【図１】この発明の実施の形態１を示すブロック構成図である。
【図２】この発明の実施の形態１をカゴとともに示す構成図である。
【図３】この発明の実施の形態１をカゴ内からリモコン操作する映像モニタ状態を示す構成図である。
【図４】従来のエレベータ用防犯カメラレコーダ装置をカゴとともに示す構成図である。
【図５】従来のエレベータ用防犯カメラレコーダ装置をカゴ内からリモコン操作する映像モニタ状態を示す構成図である。
【符号の説明】
１　エレベータのカゴ、２　防犯カメラ、３　ハードディスク部、４Ａ　アナログＶＴＲ部、５Ａ　リモコン、６　ケーブル、７　携帯用モニタ、１０Ａ　デジタル式レコーダ。
【図１】
2004010267.tif 000003
【図２】
2004010267.tif 000004
【図３】
2004010267.tif 000005
【図４】
2004010267.tif 000006
【図５】
2004010267.tif 000007